(57)【要約】【課題】部品点数や組立工数を増やすことなく、クロスダイクロイックプリズムの入射面近傍の正規の位置に偏光板を安定して保持する。【解決手段】クロスダイクロイックプリズム８の底面に台座３０を固着し、上面にはトップカバー３２を固着する。台座３０に受け部３８を一体に設け、トップカバー３２には規制部３９とポスト４７とを一体的に設ける。規制部３９の溝を通してプリ偏光板１７とメイン偏光板１８とを受け部３８の溝まで挿入する。ポスト４７に挟持ユニット４２を固定し、金属製の板バネ４３の付勢力を利用して腕４３ａ，４３ｂに固着したプラスチック製の係合片４５をプリ偏光板１７とメイン偏光板１８との上端縁に係合させる。プリ偏光板１７とメイン偏光板１８は、係合片４５と受け部３８との間に挟持される。【選択図】図２
2009216957.tif 000002
【特許請求の範囲】
【請求項１】
透過型の液晶表示素子をそれぞれ透過してきた３種類の成分色光画像をフルカラーの画像光に合成するクロスダイクロイックプリズムの底面を保持する台座と、前記クロスダイクロイックプリズムにその上面を覆うように固着されたトップカバーとの間に、前記液晶表示素子のそれぞれの出射面と前記プリズムのそれぞれの入射面との間に位置するように光学プレートを保持する液晶プロジェクタの光学プレート保持装置において、
前記台座に設けられた受け部で下端縁が支持された前記光学プレートの各々の上端縁に上方から係合し、各光学プレートの上端縁を光学プレートの厚み方向で位置決めする傾斜面が形成されたプラスチック製の複数の係合片と、
前記複数の係合片を保持するとともに、前記トップカバーに固定したときに前記複数の係合片を各々の光学プレートの上端縁に向けて付勢する一枚の金属製の板バネと、
からなることを特徴とする液晶プロジェクタの光学プレート保持装置。
【請求項２】
前記受け部に、前記それぞれの光学プレートの下端縁に係合し、各光学プレートの下端縁を光学プレートの厚み方向で位置決めする楔状の溝が形成されたことを特徴とする請求項１記載の液晶プロジェクタの光学プレート保持装置。
【請求項３】
前記複数の係合片が、各々の光学プレートの上端縁の両端部にそれぞれ係合する一対で構成されるとともに、前記板バネは前記クロスダイクロイックプリズムの上面に沿ってその四隅に延びる四本の腕を備え、これらの腕の先端に前記複数の係合片が固着されていることを特徴とする請求項２記載の液晶プロジェクタの光学プレート保持装置。
【請求項４】
前記受け部に前記楔状の溝が平行に二本形成されるとともに、前記係合片のそれぞれには前記傾斜面が複数形成され、前記受け部材と係合片との間に二枚の光学プレートが一定の間隔を開けて平行に保持されることを特徴とする請求項３記載の液晶プロジェクタの光学プレート保持装置。
【発明の詳細な説明】
【技術分野】
【０００１】
本発明は、３枚の透過型液晶表示素子を用いた液晶プロジェクタに好適な光学プレート保持装置に関するものである。
【背景技術】
【０００２】
光源からの白色光を赤色光（Ｒ光）、緑色光（Ｇ光）、青色光（Ｂ光）の３つの成分色光に分離して、各色に対応させた透過型の液晶表示素子にそれぞれ入射させて各色の画像光とし、この各色の画像光をクロスダイクロイックプリズムで合成してから投写光学系に入射させてスクリーンに投写させる３板式の液晶プロジェクタが知られている。透過型の液晶表示素子を用いたプロジェクタでは、一般に液晶表示素子に駆動電圧を印加しない状態でスクリーン上に黒表示が行われるノーマリブラック方式が採られる。このため、液晶パネルの入射面側と出射面側に設けられる一対の偏光板は、透過軸を互いに直交させたクロスニコル配置にしてある。
【０００３】
特許文献１で知られるように、液晶表示素子はクロスダイクロイックプリズムの入射面の近傍に配置されるのが通常であるから、液晶表示素子はクロスダイクロイックプリズムを保持しているプリズム台座を利用して保持され、前記プリズムの入射面に正対するように位置決めして固定される。同様に、液晶表示素子の出射面とプリズムの入射面との間に配置される偏光板もプリズム台座を利用して保持される。なお、液晶表示素子とプリズムの入射面との間に配置される光学プレートとしては、偏光板のほかに位相差補償板などが用いられることもある。
【特許文献１】特開２００６−３３０４７６号公報
【０００４】
上記偏光板の組み込み作業あるいは偏光板が劣化したときの交換作業を簡便に行うことができるように、特許文献１記載の手法では、プラスチック製の専用のホルダに２枚の偏光板の上端を接着して固定し、プリズム台座と一体の固定枠体に形成された保持部にホルダごと装着するようにしている。偏光板の保持部の上方にスリット状の挿入口が形成され、この挿入口から偏光板がその先端側から挿入される。偏光板を一定長さ挿入すると、ホルダの一部が挿入口近傍に設けられた位置決め部に係合する。そして、固定枠固体に板バネをビス止めするとこの板バネの付勢力でホルダが位置決め部に圧着され、ホルダを位置決めすることによって偏光板の位置決めが行われ、装着後の偏光板が光軸に対して傾いたりガタが生じたりしないようにしている。
【発明の開示】
【発明が解決しようとする課題】
【０００５】
特許文献１記載の偏光板保持装置は、偏光板に一体化したホルダを板バネで押しつけて位置決めしているので偏光板自体に負荷が加わらず、偏光板に欠けや割れが生じるおそれがない点で有利である。しかし、偏光板の先端側は位置決めされておらず、偏光板の上端側がホルダによって位置決めされているだけである。したがって偏光板を正確に位置決めするには、高精度に加工された専用のホルダを用意しなければならず、さらにはこのホルダに偏光板を正確に組み付ける作業が必要となって部品点数や組立工数の点で不利が大きく、製造コストが高くなるという難点がある。
【０００６】
一方、偏光板をプラスチック製あるいは金属製の板バネで直接的に位置決め基準面に押しつけるようにすると、構造的に簡略化されコスト的にも有利になるが、プラスチック製の板バネでは使用期間が長くなると付勢力が弱まって偏光板にガタが出やすくなり、割れや欠けが生じるおそれがある。また、付勢力が強い金属製の板バネで直接的に偏光板を位置決め基準に向けて押圧すると、板バネと接触している箇所に割れや傷が入りやすいという問題がある。こうした問題は、偏光板だけでなく、液晶分子の複屈折によって生じた楕円偏光成分の位相差を補償する機能をもった位相差補償板などの光学プレートを同様の位置に配置しようとする場合にも共通の問題となる。
【０００７】
本発明は上記事情を考慮してなされたもので、液晶プロジェクタの液晶表示素子とクロスダイクロイックプリズムとの間に配置される光学プレートを精度よく保持するとともに光学プレートに割れや傷が入るおそれもなく、しかも製造コスト面でも格段に有利な液晶プロジェクタの光学プレート保持装置を提供することを目的とする。
【課題を解決するための手段】
【０００８】
本発明は上記目的を達成するために、透過型の液晶表示素子をそれぞれ透過してきた３種類の成分色光画像をフルカラーの画像光に合成するクロスダイクロイックプリズムの底面を保持する台座と、前記クロスダイクロイックプリズムにその上面を覆うように固着されたトップカバーとの間に、前記液晶表示素子のそれぞれの出射面と前記プリズムのそれぞれの入射面との間に位置するように光学プレートを保持するにあたり、前記台座に設けられた受け部で下端縁が支持されたそれぞれの光学プレートを、その上端縁に上方から係合して光学プレートをその厚み方向で位置決めする傾斜面が形成されたプラスチック製の複数の係合片と、これらの係合片を保持するとともに、前記トップカバーに固定したときに前記複数の係合片を各々の光学プレートの上端縁に向けて付勢する一枚の金属製の板バネとから構成された保持装置を用いるようにしている。
【０００９】
前記係合片と協同して光学プレートをその厚み方向で位置決めするために、前記受け部にそれぞれの光学プレートの下端縁に係合し、各光学プレートの下端縁を光学プレートの厚み方向で位置決めする楔状の溝を設けておくのがよい。また前記板バネとして、クロスダイクロイックプリズムの上面に沿ってその四隅に延びる四本の腕を備えたものを用い、その各々の腕の先端に前記係合片を固着するのがよい。さらに、前記受け部と係合片とのそれぞれに二枚分の光学プレートを保持するための楔状の溝や傾斜面を形成しておくことにより二枚の光学プレートを近接させた状態で平行に保持させることも可能で、この場合、二枚の光学プレートは機能的には同種のものであっても異種のものであってもよい。
【発明の効果】
【００１０】
本発明によれば、クロスダイクロイックプリズムを保持する台座に形成された受け部により下端縁が支持された光学プレートに対し、その上端縁には金属製の板バネによって付勢されたプラスチック製の係合片が係合するから、光学プレートの上端縁に割れや傷が入ることがなく、しかも係合片の各々には一枚の金属製の板バネによる安定した付勢力を与えることができるようになり、プロジェクタの使用中や運搬中に多少の振動や衝撃が加わるようなことがあったとしても、光学プレートに傷や割れが入ったり正規の装着位置から外れたりすることがない。
【発明を実施するための最良の形態】
【００１１】
図１に示すように、本発明を用いた液晶プロジェクタは、ランプやコリメートレンズ、偏光変換素子などを収容した光源ボックス３を備え、この光源ボックス３から平行光となって出射した白色の照明光は青色光透過／他色光反射のダイクロイックミラー５に入射する。ダイクロイックミラー５を透過した青色光Ｂは、ミラー６の反射によりクロスダイクロイックプリズム８の第一面８Ｂに入射する。また、ダイクロイックミラー５で反射した照明光はさらに赤色光透過／緑色光反射のダイクロイックミラー１０により赤色光と緑色光に分離され、反射された緑色光Ｇはクロスダイクロイックプリズム８の第二面８Ｇに入射し、透過した赤色光Ｒはミラー１１，１２で反射して第三面８Ｒに入射する。
【００１２】
クロスダイクロイックミラー８の第一面８Ｂの前面側には、光源ボックス側から順に、入射側偏光板１５，液晶表示素子１６Ｂ，出射側のプリ偏光板１７，出射側のメイン偏光板１８が設けられている。クロスダイクロイックミラー８の第二面８Ｇ及び第三面８Ｒの前面側には、それぞれの液晶表示素子１６Ｇ，１６Ｒを前後に挟むように、同様に入射側偏光板１５と、プリ偏光板１７，メイン偏光板１８とが設けられている。液晶表示素子１６Ｂ，１６Ｇ，１６Ｒの各々は透過型のＴＮ液晶素子で構成され、これらの液晶表示素子１６Ｂ，１６Ｇ，１６Ｒは入力される画像信号に応じてそれぞれ青色光Ｂ，緑色光Ｇ，赤色光Ｒに濃淡を与える画像を表示する。
【００１３】
光源ボックス３に組み込まれた偏光変換素子により、無偏光の照明光のほとんどは直線偏光光に変換して出射されるが、その一部に含まれる非直線偏光光を除去するためにそれぞれの液晶表示素子１６Ｂ，１６Ｇ，１６Ｒの入射面側に前述した入射側偏光板１５が設けられている。したがって、液晶表示素子１６Ｂ，１６Ｇ，１６Ｒには透過軸が一方向に揃えられた直線偏光光が入射する。出射側のプリ偏光板１７，メイン偏光板１８は、それぞれの透過軸が入射側偏光板１５の透過軸と直交するクロスニコル配置となっており、液晶表示素子１６Ｂ，１６Ｇ，１６Ｒの画素の一部に黒表示が行われたときには、出射側のプリ偏光板１７とメイン偏光板１８により光の透過が阻止され、クロスダイクロイックプリズム８に入射することはない。
【００１４】
なお、液晶表示素子１６Ｂ，１６Ｇ，１６Ｒの出射面と、クロスダイクロイックプリズム８のそれぞれの入射面８Ｂ，８Ｇ，８Ｒとの間に配置される光学プレートとして、上記実施形態ではプリ偏光板１７とメイン偏光板１８とが用いられている。これは、光源ボックス３に組み込まれた光源ランプに高輝度のものを用いた場合、一枚のメイン偏光板１８だけで光吸収を行おうとすると、過熱や過度の紫外線照射の影響により劣化が早まることが懸念されるからである。出射側の偏光板による光吸収作用が劣化すると、投写画像中の黒レベルの輝度を充分に抑えることができなくなり、スクリーン上の投写画像のコントラストを著しく劣化させる原因となる。これを防ぐ目的でプリ偏光板１７との併用が行われ、メイン偏光板１８に入射する前にプリ偏光板１７で吸収対象となる光の半分程度をカットすることにより、それぞれの偏光板１７，１８の耐久性を向上させることができる。
【００１５】
メイン偏光板１８を透過してクロスダイクロイックプリズム８の各入射面８Ｂ，８Ｇ，８Ｒに各色光Ｂ，Ｇ，Ｒの画像光が入射すると、クロスダイクロイックプリズム８を構成するプリズムブロックの接合面に形成されたダイクロイック膜２０ａ，２０ｂの分光透過／反射特性によりそれぞれの画像光が合成され、フルカラーの画像光となって出射面８Ｓから出射する。この画像光は投写レンズ２４を通してスクリーン２５に投写される。
【００１６】
上記のように液晶表示素子１６Ｂ，１６Ｇ，１６ＲにＴＮ型液晶を用い、これをノーマリブラックで利用する場合には、出射側のプリ偏光板１７及びメイン偏光板１８との対は、それぞれの透過軸が入射側偏光板１５の透過軸と直交するように配置する必要がある。これらの出射側の偏光板１７，１８は、プロジェクタの筐体に簡便に組み込むことができるように、各々の液晶表示素子１６Ｂ，１６Ｇ，１６Ｒとともにクロスダイクロイックプリズム８を保持する台座とともにプリズムユニットとして一体化される。
【００１７】
図２はプリズムユニットの外観を示しており、クロスダイクロイックプリズム８の底面には台座３０、上面にはトップカバー３２が接着により固定されている。台座３０及びトップカバー３２のそれぞれは、機械的な強度及び耐熱性に優れたエンジニアリングプラスチックを用いてクロスダイクロイックプリズム８の外形寸法に合わせて高精度に作られ、液晶表示素子１６Ｂ，１６Ｇ，１６Ｒと、プリ偏光板１７及びメイン偏光板１８の組み込み基準となる。なお、入射側偏光板１５は台座３０及びトップカバー３２とは別の構造部品で保持されるので図示は省略してある。
【００１８】
青色光Ｂが入射するクロスダイクロイックプリズム８の第一面８Ｂ回りの構造として示すように、台座３０とトップカバー３２にはパネルユニット３３を固定するための支持アーム３５，３６が固着されている。これらの支持アーム３５，３６は金属薄板で構成され、それぞれの先端にはクロスダイクロイックプリズム８の第一面８Ｂと平行となるように折り曲げられた受け面が形成されている。パネルユニット３３は、金属薄板製のベース３３ａとカバー３３ｂとからなるホルダの中に液晶表示素子１６Ｂを組み込んだもので、上方からは液晶表示素子１６Ｂに画像信号を供給するプリント板が引き出され、ベース３３ａ及びカバー３３ｂには青色光Ｂが通過する開口が形成されている。そして、ベース３３ａの四隅に形成された取り付け片を支持アーム３５，３６の先端に形成された受け面にハンダ付けすることにより、このパネルユニット３３は台座３０及びトップカバー３２に固着される。
【００１９】
プリ偏光板１７及びメイン偏光板１８はそれぞれ矩形状に作られ、台座３０にはこれらのプリ・メイン偏光板１７，１８の下端縁を支持する受け部３８が一体成形されている。この受け部３８は、トップカバー３２に一体成形された規制部３９を通して上から挿入されたプリ偏光板１７及びメイン偏光板１８の下端縁を受け止め、規制部３９に形成された溝と協同してこれらの偏光板１７，１８をその厚み方向及び水平方向で位置決めする。なお、緑色光Ｇが入射するダイクロイックプリズム８の第二面８Ｇについては、その前面にプリ偏光板１７とメイン偏光板１８とが挿入された様子が図示されている。
【００２０】
受け部３８及び規制部３９で支持されたプリ偏光板１７及びメイン偏光板１８を上下方向で位置決めし、プロジェクタの移動時にこれらが所定の装着位置から上下方向に移動することがないように、受け部３８，規制部３９と協同して光学プレート保持装置として機能する挟持ユニット４２がトップカバー３２に固定される。挟持ユニット４２は、例えば厚みが０．５ｍｍ程度のステンレスプレートからなる板バネ４３と、板バネ４３から四方に延びた二種類の腕４３ａ，４３ｂの先端に固着したプラスチック製の係合片４５とから構成される。
【００２１】
クロスダイクロイックプリズム８の中心上に位置するように、トップカバー３２の中央にはネジ穴付きのポスト４７が垂直に立設されている。ポスト４７に隣接し、かつクロスダイクロイックプリズム８の出射面８Ｓ側に寄った位置に、上端面に突起を有するサブポスト４８が同様にトップカバー３２に垂直に立設されている。これらのポスト４７及びサブポスト４８に対応し、挟持ユニット４２の板バネ４３の中央に開口４９と開口５０とが開けられている。開口５０はサブポスト４８の上端面に形成された突起の形状に対応して円形であるのに対し、開口４９はクロスダイクロイックプリズム８の第一面８Ｂ，第三面８Ｒ側にわずかに延ばした長円形となっている。
【００２２】
開口５０にサブポスト４８の上端面に設けられた突起を合わせ、開口４９をポスト４７のネジ穴に合わせるように挟持ユニット４２を載置し、固定ノブ５２をその下端に突出したネジ５２ａをポスト４７のネジ穴に螺合させて締めつけることにより、挟持ユニット４２をポスト４７に固定することができる。なお、挟持ユニット４２の固定位置は、突起４８ａを支点に開口４９の長円形状の範囲内で回動調節することができる。
【００２３】
挟持ユニット４２を固定すると、板バネ４３の各腕４３ａ，４３ｂはそれぞれクロスダイクロイックプリズム８の上面に沿ってその四隅に延びるように位置決めされる。出射面８Ｓに向かって延びた２本の腕４３ａはその先端が出射面８Ｓと平行に屈曲し、係合片４５が一つずつ固着されている。また、第一面８Ｂと第二面８Ｇとのコーナーに向かって延びた腕４３ｂと、第二面８Ｇと第三面８Ｒとのコーナーに向かって延びた腕４３ｂの先端は互いに直交するように二股に分岐し、分岐した各々の先端にそれぞれ係合片４５が固着されている。
【００２４】
係合片４５はそれぞれ同一形状をもつプラスチック製の板状片で、挟持ユニット４２をトップカバー３２に固定すると、クロスダイクロイックプリズム８の出射面８Ｓを除く第一面８Ｂ，第二面８Ｇ，第三面８Ｒの両サイドに沿い、規制部３９及び受け部３８に向き合うように整列して位置決めされる。また、第一面８Ｂ，第二面８Ｇ，第三面８Ｒの各面の上方で一対の係合片４５は板面が互いに平行に向き合う姿勢に保たれ、詳しくは後述するように、その下縁に形成された斜面によりプリ偏光板１７とメイン偏光板１８とを受け部３９との間に挟持する。
【００２５】
図３及び図４に基づき、挟持ユニット４２の構造の詳細とその作用について説明する。なお、パネルユニット３３及びその支持アーム３５，３６については図示を省略した。プリ偏光板１７とメイン偏光板１８を、その下端側から規制部３９に形成された溝３９ａ，３９ｂに通し、受け部３８に形成された溝３８ａ，３８ｂまで落とし込む。そして、ネジ５２ａの螺合により固定ノブ５２をポスト４７に締めつけると、係合片４５がプリ偏光板１７とメイン偏光板１８の上端縁に係合し、板バネ４３の腕４３ａによる付勢力のもとでこれらの偏光板１７，１８がクロスダイクロイックプリズム８の第一面８Ｂと平行に位置決めされる。
【００２６】
図４に示すように、規制部３９の溝３９ａ，３９ｂは、それぞれプリ偏光板１７，メイン偏光板１８の板厚よりも幅広に形成され、偏光板１７，１８を上方から容易に挿入することができる。溝３９ａを構成する一対の内壁面のうち、第一面８Ｂから遠い側の内壁面がプリ偏光板１７の位置決め基準として用いられ、溝３９ｂを構成する一対の内壁面のうち、第一面８Ｂに近い側の内壁面がメイン偏光板１８の位置決め基準として用いられる。これらの位置決め基準となる内壁面は第一面８Ｂと平行である。
【００２７】
同様に、受け部３８の溝３８ａ，３８ｂについても、それぞれ第一面８Ｂから遠い側の内壁面，第一面８Ｂに近い側の内壁面が第一面Ｂと平行な位置決め基準面として用いられる。ただし、それぞれの溝３８ａ，３８ｂの他方の内壁面は、溝幅が上方で広がるように傾斜面となっており、プリ偏光板１７及びメイン偏光板１８の下端縁が容易に入り込みやすくしてある。
【００２８】
係合片４５の下面にはプリ偏光板１７を厚み方向で位置決めする斜面４５ａと、メイン偏光板１８を厚み方向で位置決めする斜面４５ｂとが形成され、さらにこれらの斜面４５ａ，４５ｂの上端側にはストッパ段差４５ｃ，４５ｄが形成されている。係合片４５の下面に形成された上記斜面４５ａ，４５ｂ及びストッパ段差４５ｃ，４５ｄは、全ての係合片４５について共通の構成にしてあるから、異種の係合片４５を用意する必要がなく製造コストの面でも有利である。
【００２９】
プリ偏光板１７及びメイン偏光板１８を規制部３９の溝３９ａ，３９ｂと、受け部３８の溝３８ａ，３８ｂの溝で保持しただけの状態では、偏光板１７，１８は厚み方向での位置決めが不完全な状態となっている。そこで、挟持ユニット４２をポスト４７に固定すると、板バネ４３の腕４３ａがもつ付勢力により係合片４５の斜面４５ａがプリ偏光板１７の上端縁に係合し、プリ偏光板１７の上端縁を第一面８Ｂから遠ざける方向に押圧する。この結果、プリ偏光板１７が溝３９ａ，溝３８ａの位置決め基準面に押しつけられ、第一面８Ｂと平行な姿勢で保持される。同様に、メイン偏光板１８は係合片４５の斜面４５ｂの作用により、溝３９ｂ，溝３８ｂの位置決め基準面に押しつけられ、双方の偏光板１７，１８は互いに平行な正規の姿勢で位置決めされる。
【００３０】
こうして挟持ユニット４２が固定されると、板バネ４３による安定的かつ強めの付勢力でそれぞれの偏光板１７，１８が正規の位置で保持された状態となり、多少の振動や衝撃がプロジェクタ本体に加わるようなことがあっても、偏光板１７，１８はほとんど移動することがない。しかも、偏光板１７，１８の上端縁を押圧している係合片４５はプラスチック部品であるから、偏光板１７，１８の上端縁に欠けや割れが生じるおそれもない。また、仮にプロジェクタ本体に過度の衝撃が加わって偏光板１７，１８が上方に移動するようなことがあったとしても、偏光板１７，１８の上端縁がストッパ段差４５ｃ，４５ｄに当接して受け部３８の溝３８ａ，３８ｂから飛び出すまで移動することがないので、板バネ４３及び係合片４５の作用で正規の位置に復元し、そのまま継続して使用することができる。
【００３１】
以上のように、金属製の板バネ４３とプラスチック製の係合片４５からなる挟持ユニット４２を用いてプリ偏光板１７及びメイン偏光板１８を位置決め基準に押しつける構造を採ることによって、部品点数を増やすことなく安全かつ安定的にこれらの偏光板１７，１８を正規の組み込み位置に保持しておくことが可能となる。また、固定ノブ５２を操作して挟持ユニット４２を外せば、これらの偏光板１７，１８の交換作業も容易に行うことができ、そして挟持ユニット４２を再び固定すれば、新たに交換した偏光板１７，１８は確実に正規の位置に装着され、交換作業に手間取ることもない。
【００３２】
上述した実施形態では、光学プレートとしてプリ偏光板及びメイン偏光板の二枚を用いた例について説明してきたが、偏光板を一枚にしたり、偏光板のほかに位相差補償板や色補正用のカラーフィルタを光学プレートとして用いたりする場合にも本発明は等しく適用可能である。また、プロジェクタ自体の構造としても、必ずしもフロント投写型のものに限らず、リアプロジェクション方式のプロジェクタにも本発明を用いることができる。
【図面の簡単な説明】
【００３３】
【図１】液晶プロジェクタの概略構成図である。
【図２】プロズムユニットの外観図である。
【図３】プリズムユニットの要部断面図である。
【図４】プリズムユニットの要部拡大断面図である。
【符号の説明】
【００３４】
８  クロスダイクロイックプリズム
１６Ｂ  液晶表示素子
１７  プリ偏光板
１８  メイン偏光板
３０  台座
３２  トップカバー
３３  パネルユニット
３８  受け部
３９  規制部
４２  挟持ユニット
４３  板バネ
４５  係合片
４７  ポスト
５２  固定ノブ
【図１】
2009216957.tif 000003
【図２】
2009216957.tif 000004
【図３】
2009216957.tif 000005
【図４】
2009216957.tif 000006